(57)【特許請求の範囲】
【請求項１】
下方を開口した床ノズル本体と、前記床ノズル本体内部に回転自在に設けられたアジテータと、前記床ノズル本体内部に設けられ前記アジテータに駆動力を与える駆動源とを具備し、前記アジテータは回転子と前記回転子の周囲に配されたブレードからなり、前記ブレードの少なくとも一側面には、前記回転子の半径方向に細長くかつ先端部に溝を配した突起を複数列設けた掃除機用床ノズル。
【請求項２】
下方を開口した床ノズル本体と、前記床ノズル本体内部に回転自在に設けられたアジテータと、前記床ノズル本体内部に設けられ前記アジテータに駆動力を与える駆動源とを具備し、前記アジテータは回転子と前記回転子の周囲に配されたブレードからなり、前記ブレードの少なくとも一側面には、前記回転子の半径方向に細長くかつ先端部に凹凸を設けた突起を複数列設けた掃除機用床ノズル。
【請求項３】
下方を開口した床ノズル本体と、前記床ノズル本体内部に回転自在に設けられたアジテータと、前記床ノズル本体内部に設けられ前記アジテータに駆動力を与える駆動源とを具備し、前記アジテータは回転子と前記回転子の周囲に配されたブレードからなり、前記ブレードの少なくとも一側面には、前記回転子の半径方向に細長くかつ先端部に粘着性を有する粘着部を設けた突起を複数列設けた掃除機用床ノズル。
【請求項４】
先端部に溝を配した突起を、互いに隣接する突起同志で略Ｖ字状を形成するように長手方向に複数列設けたことを特徴とする請求項１または２記載の掃除機用床ノズル。
【請求項５】
突起と突起を連絡する連絡溝を設けた請求項１〜４のいずれか１項に記載の掃除機用床ノズル。
【請求項６】
ブレードの断面形状を略くの字状とした請求項１ないし３のいずれか１項に記載の掃除機用床ノズル。
【請求項７】
ブレードの基部と先端の間に伸縮自在部を設けた請求項１ないし３のいずれか１項に記載の掃除機用床ノズル。
【発明の詳細な説明】
【０００１】
【産業上の利用分野】
本発明は、掃除機用床ノズルに関するものである。
【０００２】
【従来の技術】
従来のこの種の掃除機用床ノズルについて、図面とともに説明する。
【０００３】
図１６において、１は筐体であり、この筐体１内部に回転子２とブレード３で構成されたアジテータ４が設けられている。５は駆動源で、アジテータ４に駆動力を与えている。６は上下動自在の連通管であり、筐体１と掃除機本体（図示せず）を連通している。
【０００４】
以上のような構成の掃除機用床ノズルを用いた掃除機による清掃について、図面とともに説明する。
【０００５】
図１７に示すように、絨毯７上に塵埃８がある。清掃者が、筐体１を有する掃除機（図示せず）を用いて絨毯７上を清掃すると、駆動源（図１６中５）により駆動力を得た回転子２が回転し、ブレード３が絨毯７上の塵埃８をかき上げるので、塵埃８は、連通管６を介して、掃除機本体（図示せず）に吸い込まれる。
【０００６】
また、特開昭６１−３３６３４号公報に記載されているように、ブレード３先端に、シボ加工を施したものや、ループ状のパイルを設けたものなどがある。
【０００７】
【発明が解決しようとする課題】
しかしながら上記のような構成、例えば、ブレード３先端にシボ加工を施したものでは、絨毯７の毛に絡み付いた糸屑やペットの毛などや、絨毯の底部に溜った砂ぼこりなどの塵埃８は充分清掃されないという課題を有していた。
【０００８】
また、集塵性を向上するために、アジテータ４を高速回転させると摩擦により、絨毯７の毛を摩耗するという課題や、静電気が発生するために絨毯７により多くの塵埃８が付着するという課題があった。
【０００９】
さらに、ブレード３先端を複雑な形状、例えば特開昭６１−３３６３４号公報記載のループ状のパイルなどにすると、絨毯７の絡み付いた糸屑やペットの毛などのゴミはよく取れるようになるが、逆に、絨毯７の毛をむしってしまうという課題を有していた。
【００１０】
また、ブレード３の長さを長くすると、絨毯７底部の塵埃８まで掻き出すことはできるが、筐体１底部からブレード３がはみ出すと、板間などの床を清掃する際に、床を傷つけてしまうという課題や、逆に、ブレード３の長さを短くすると、床を傷つけることはなくなるが、絨毯７底部の塵埃８を掻き出すことができなくなるという課題を有していた。
【００１１】
本発明は上記従来例の課題を解決するもので、清掃効果の高い掃除機用床ノズルを提供することを目的とするものである。
【００１２】
また本発明は、微小な塵や埃、または絨毯底部の砂ぼこりなどに対する集塵効果が高い掃除機用床ノズルを提供するものである。
【００１３】
また本発明は、効率よく清掃できる掃除機用床ノズルを提供するものである。さらに、本発明は、毛足の短い絨毯に対して、絨毯底部の集塵効果が高い掃除機用床ノズルを提供することを目的とするものである。
【００１４】
【課題を解決するための手段】
上記課題を解決するために本発明は、ブレードの清掃面側に、端面方向に細長く、かつ先端部に溝を配した突起を、長手方向に互いに略平行になるように、あるいは、隣接する突起とで略Ｖ字状を形成するように長手方向に複数列設けたものである。
【００１５】
また本発明は、突起先端部に凹凸や、粘着性を有する粘着部を設けたものである。
【００１６】
また本発明は、突起と突起を連絡する連絡溝を設けたものである。
【００１７】
さらに本発明は、ブレードの断面形状を略くの字状としたり、ブレードに伸縮自在部を設けたものである。
【００１８】
【作用】
本発明は、ブレードの清掃面側に、端面方向に細長く、かつ先端部に溝を配した突起を、長手方向に互いに略平行になるように複数列設けることにより、突起が絨毯の毛と毛の流れに沿って小さな抵抗で絨毯の奥まで入り込み、さらに先端部の溝によって、ペットの毛などの塵埃を挟み込むように掻き出すことができる。
【００１９】
また本発明は、ブレードの清掃面側に、端面方向に細長く、かつ先端部に溝を配した突起を、隣接する突起とで略Ｖ字状を形成するように長手方向に複数列設けることにより、絨毯の毛の生えている方向が揃っていなくても、突起が小さな抵抗で絨毯の奥まで入り込み、さらに先端部の溝によって、ペットの毛などの塵埃を挟み込むように掻き出すことができる。
【００２０】
また本発明は、ブレードの清掃面側に、端面方向に細長く、かつ先端部に凹凸を設けた突起を、長手方向に互いに略平行になるように複数列設けることにより、突起が絨毯の毛と毛の流れに沿って小さな抵抗で絨毯の奥まで入り込み、さらに先端部の溝によって、より多くの塵や埃などの細かなゴミを掻き出すことができる。
【００２１】
また本発明は、ブレードの清掃面側に、端面方向に細長く、かつ先端部に凹凸部設けた突起を、隣接する突起とで略Ｖ字状を形成するように長手方向に複数列設けることにより、絨毯の毛の生えている方向が揃っていなくても、突起が小さな抵抗で絨毯の奥まで入り込み、さらに先端部の溝によって、より多くの塵や埃などの細かなゴミを掻き出すことができる。
【００２２】
また本発明は、ブレードの清掃面側に、端面方向に細長く、かつ先端部に粘着性を有する粘着部を設けた突起を、長手方向に互いに略平行になるように複数列設けることにより、突起が絨毯の毛と毛の流れに沿って小さな抵抗で絨毯の奥まで入り込み、さらに先端部の溝によって、砂ぼこりなどのように絨毯底部に溜るようなゴミを確実に掻き出すことができる。
【００２３】
また本発明は、ブレードの清掃面側に、端面方向に細長く、かつ先端部に粘着性を有する粘着部を設けた突起を、隣接する突起とで略Ｖ字状を形成するように長手方向に複数列設けることにより、絨毯の毛の生えている方向が揃っていなくても、突起が小さな抵抗で絨毯の奥まで入り込み、砂ぼこりなどのように絨毯底部に溜るようなゴミを確実に掻き出すことができる。
【００２４】
また本発明は、突起と突起を連絡する溝を設けることにより、より多くのペットの毛などの塵埃をより確実に挟み込むように掻き出すことができる。
【００２５】
また本発明は、ブレードの断面形状を略くの字状とすることにより、ブレードと清掃面の接触面積が増え、摩擦力が大きくなるので、多くの塵埃を掻き出すことができる。
【００２６】
さらに本発明は、ブレードに伸縮自在部を設けることにより、アジテータが回転することにより発生する遠心力によってブレードが伸びるので、床を傷つけることなく、毛足の短い絨毯の奥でもブレードが届き、塵埃を掻き出すことができる。
【００２７】
【実施例】
以下本発明の第１の実施例における掃除機用床ノズルについて図面とともに説明する。
【００２８】
図１において、図１６に示す従来例の掃除機用床ノズルと同様の構成については、便宜上同一の番号を付し説明を省略する。
【００２９】
図１に示すように、ゴムや合成樹脂などの弾性体で形成されたブレード３の清掃面上に端面方向に細長く、かつ先端部に溝１０を配した突起９を、長手方向に互いに略平行になるように複数列設ける。
【００３０】
図２には、このブレード３の要部拡大図を示している。突起９は、ブレード３の清掃面上に、回転子２に対して直角方向に複数個平行に形成されている。また、突起９の上面には溝１０が設けられている。溝１０は突起９の長手方向に対し直角に形成されており、清掃時のブレード３の回転により床面に対して横方向に接することとなる（つまり、ブレード３と床の接線と溝１０とが略平行となる）。また、突起９の形状は図３に示すように、裾拡がり形状になっており、断面は略台形状を呈している。
【００３１】
上記構成を有する掃除機用床ノズルについて以下にその作用を説明する。
【００３２】
図４に示すように、回転子が回転すると、絨毯の毛１１と絨毯の毛１１の間に細長い突起９が入り込む。そして、比較的大きな塵等は平行に配された突起９により挟まれて掻き出されることとなる。さらに、細長い突起９の先端部には溝１０が設けられているので、絨毯の毛１１に絡み付いた糸屑やペットの毛などの塵埃８を良好に掻き出すことができる。しかも、溝１０は、ブレード３の回転により横方向に床に接することとなるので、ブレード３が床に打ちつけられる際に、溝１０はブレード３の撓みにしたがって拡がり、ブレード３が床から離れる際にはその反動により溝１０が閉じる方向に力がかかることとなる。よって塵埃８が微細なものであっても良好につまみ出すことができるものである。
【００３３】
この結果、従来の床ノズルに比べて清掃効果が向上する。
【００３４】
さらに、第２の実施例として図５に示すように、先端部に溝を配した細長い突起９を隣接する突起９とで略Ｖ字を形成するように長手方向に複数列配する構成もある。
【００３５】
この構成により、絨毯７上の絨毯の毛１１の生えている方向が一定でなくても、回転子２が回転すると、図６に示すように、絨毯の毛１１と絨毯の毛１１の間に小さな抵抗で細長い突起９が入り込む。そして、第１の実施例と同様、大きな塵等は突起９により挟まれて良好に掻き出される。しかも、本実施例においては、突起９は互いに傾斜して略Ｖ字形状になっているため、第１の実施例における平行に配列された突起９では挟み損なうような塵でも突起９のＶ字配列の狭間隔部分で確実に捕捉可能になるものである。細長い突起９の先端部には溝１０が設けられているので、第１の実施例と同様の作用により、絨毯の毛１１に絡み付いた糸屑やペットの毛などの塵埃８を、絨毯の毛１１を傷つけることなく掻き出すことができる。
【００３６】
この結果、絨毯７の毛並にかかわらず、従来の床ノズルに比べて清掃効果が向上する。
【００３７】
以上述べたように、ブレード３に形成した突起９および突起９の先端に設けた溝１０の形態により有用な作用効果を奏するものである。第１、２の実施例を基本として種々の応用例が考えられるので、以下に図７〜図１５を用いて説明する。
【００３８】
なお、第１の実施例において、突起９の形状を裾拡がりの断面略台形状であるとしたが、これはブレード３の回転にともなって床に激しく打ちつけられることを考慮したもので、耐久性があれば他の形状であっても同様の作用効果を奏することは言うまでもない。また、突起９はブレード３と一体に成型してもよいし、別部材を接着固定してもよい。
【００３９】
図７は、例えば、ゴムや合成樹脂などの弾性体で、細長い突起９の先端部に凹部１２を構成したものである。
【００４０】
この結果、細長い突起が絨毯の毛の間に入り込むと、凹部１２に微小な塵や埃が入り込むために、微小な塵や埃に対する集塵効果が向上する。
【００４１】
図８は、例えば、ゴムや合成樹脂などの弾性体で、細長い突起９の先端部に凸部１３を構成したものである。
【００４２】
この結果、細長い突起が絨毯の毛の間に入り込むと、凸部１３が微小な塵や埃を掻き出すために、微小な塵や埃に対する集塵効果が向上する。
【００４３】
なお、前記実施例はゴムや合成樹脂などについて説明したが、例えば、スポンジなどの部材を用いても同等の効果を得ることができる。
【００４４】
図９は、細長い突起９の先端部に、例えば、生ゴムなどのように粘着性を有する粘着部１４を設けたものである。当然のことながら、この粘着部１４の粘着力は、掃除機（図示せず）の吸引力より弱いものが好ましい。
【００４５】
この結果、細長い突起が絨毯の毛の間に入り込むと、通常、砂ぼこりなどの絨毯底部に溜っているゴミを、粘着部により掻き出すことができるため、絨毯底部の清掃効果を向上させることができる。そして、絨毯底部より掻き出されて突起９の先端粘着部に付着したゴミは、回転子２の回転による遠心力や掃除機の吸引力により解離して集塵されることとなる。
【００４６】
さらに、他の実施例として、図１０、１１に示すように、突起９と突起９を連絡する連絡溝１５を設ける。
【００４７】
この結果、図１２に示したように、ゴムや合成樹脂などの弾性体で構成されたブレード３が、回転子２の回転により絨毯７と接触することにより湾曲すれば、連絡溝１５が拡がり、塵埃８を掻き出すとともに挟み込むこととなり、集塵効率を向上することができる。
【００４８】
また、他の実施例として、図１３に示すように、ゴムや合成樹脂などの弾性体で構成されたブレード３の断面形状を略くの字状に成形すると、ブレード先端の突起部１６と清掃面（図示せず）の接触面が増える。このため、突起部１６と清掃面の摩擦力が増加し、より多くの塵埃を掻き出すことができるので清掃効率が向上する。
【００４９】
図１４は、ブレード３に長手方向の断面形状が略円弧状となる伸縮自在部１７を設ければ、アジテータ４を回転させると、その遠心力によりブレード３長さが伸びる。
【００５０】
この結果、図１５（ａ）に示すように、板間などの床を清掃するときは、アジテータ４を回転させることがないので、ブレード３が床を傷つけることがなくなる。
【００５１】
さらに、絨毯７などを清掃するときには、アジテータ４を回転させることにより、遠心力が発生し、ブレード３に設けられた伸縮自在部１７が伸びるので、絨毯７底部の塵埃を掻き出すことができる。このため、毛足の短い絨毯７などに対して、絨毯底部の集塵効果が向上する。
【００５２】
なお、図１４、１５を用いて説明した実施例は、ブレードの断面形状が略円弧状であるが、これを例えば、断面形状が略Ｓ字状などの形状にしてもよく、要はアジテータ４の回転によりブレード３が伸びる形状であれば同等の効果を得ることができる。
【００５３】
【発明の効果】
本発明は上記説明から明らかなように、ブレードの清掃面側に、端面方向に細長く、かつ先端部に溝を配した突起を、長手方向に互いに略平行になるように複数列設けることにより、突起が絨毯の毛と毛の流れに沿って小さな抵抗で絨毯の奥まで入り込み、さらに先端部の溝によって、ペットの毛などの塵埃を挟み込むように掻き出すことができるので、清掃効果の高い掃除機用床ノズルを提供することができる。
【００５４】
また本発明は、ブレードの清掃面側に、端面方向に細長く、かつ先端部に溝を配した突起を、隣接する突起とで略Ｖ字状を形成するように長手方向に複数列設けることにより、絨毯の毛の生えている方向が揃っていなくても、突起が小さな抵抗で絨毯の奥まで入り込み、さらに先端部の溝によって、ペットの毛などの塵埃を挟み込むように掻き出すことができるので、絨毯の毛並にかかわらず、清掃効果の高い掃除機用床ノズルを提供することができる。
【００５５】
また本発明は、ブレードの清掃面側に、端面方向に細長く、かつ先端部に凹凸を設けた突起を、長手方向に互いに略平行になるように複数列設けることにより、突起が絨毯の毛と毛の流れに沿って小さな抵抗で絨毯の奥まで入り込み、さらに先端部の溝によって、より多くの塵や埃などの細かなゴミを掻き出すことができるので、微小な塵や埃に対する集塵効果が高い掃除機用床ノズルを提供することができる。
【００５６】
また本発明は、ブレードの清掃面側に、端面方向に細長く、かつ先端部に凹凸を設けた突起を、隣接する突起とで略Ｖ字状を形成するように長手方向に複数列設けることにより、絨毯の毛の生えている方向が揃っていなくても、突起が小さな抵抗で絨毯の奥まで入り込み、さらに先端部の溝によって、より多くの塵や埃などの細かなゴミを掻き出すことができるので、微小な塵や埃に対する集塵効果が高い掃除機用床ノズルを提供することができる。
【００５７】
また本発明は、ブレードの清掃面側に、端面方向に細長く、かつ先端部に粘着性を有する粘着部を設けた突起を、長手方向に互いに略平行になるように複数列設けることにより、突起が絨毯の毛と毛の流れに沿って小さな抵抗で絨毯の奥まで入り込み、さらに先端部の溝によって、砂ぼこりなどのように絨毯底部に溜るようなゴミを確実に掻き出すことができるので、絨毯底部の集塵効果が高い掃除機用床ノズルを提供することができる。
【００５８】
また本発明は、ブレードの清掃面側に、端面方向に細長く、かつ先端部に粘着性を有する粘着部を設けた突起を、隣接する突起とで略Ｖ字状を形成するように長手方向に複数列設けることにより、絨毯の毛の生えている方向が揃っていなくても、突起が小さな抵抗で絨毯の奥まで入り込み、砂ぼこりなどのように絨毯底部に溜るようなゴミを確実に掻き出すことができるので、絨毯底部の集塵効果が高い掃除機用床ノズルを提供することができる。
【００５９】
また本発明は、突起と突起を連絡する溝を設けることにより、より多くのペットの毛などの塵埃をより確実に挟み込むように掻き出すことができるので、集塵効率の高い掃除機用床ノズルを提供することができる。
【００６０】
また本発明は、ブレードの断面形状を略くの字状とすることにより、ブレードと清掃面の接触面積が増え、摩擦力が大きくなるので、多くの塵埃を掻き出すことができるため、効率よく清掃できる掃除機用床ノズルを提供することができる。
【００６１】
さらに本発明は、ブレードに伸縮自在部を設けることにより、アジテータが回転することにより発生する遠心力によってブレードが伸びるので、毛足の短い絨毯の奥でもブレードが届き、塵埃を掻き出すことができるため、毛足の短い絨毯に対して、絨毯底部の集塵効果が高い掃除機用床ノズルを提供することができる。
【図面の簡単な説明】
【図１】本発明の一実施例における掃除機用床ノズルの内部を示す平面図
【図２】本発明の一実施例におけるアジテータの要部拡大図
【図３】本発明の一実施例における細長い突起の拡大図
【図４】本発明の一実施例におけるアジテータの要部拡大図
【図５】本発明の一実施例におけるアジテータの要部拡大図
【図６】本発明の一実施例におけるアジテータの要部拡大図
【図７】本発明の一実施例における細長い突起の拡大図
【図８】本発明の一実施例における細長い突起の拡大図
【図９】本発明の一実施例における細長い突起の拡大図
【図１０】本発明の一実施例におけるアジテータの要部拡大図
【図１１】本発明の一実施例におけるアジテータの要部拡大図
【図１２】本発明の一実施例におけるブレードの動作図
【図１３】本発明の一実施例におけるブレードの要部拡大図
【図１４】本発明の一実施例におけるブレードの要部拡大図
【図１５】本発明の一実施例における掃除機用床ノズルの断面図
【図１６】従来の掃除機用床ノズルの内部を示す平面図
【図１７】従来の掃除機用床ノズルの動作図
【符号の説明】
１    筐体
２    回転子
３    ブレード
４    アジテータ
５    駆動源
９    突起
１０  溝
１２  凹部
１３  凸部
１４  粘着部
１５  連絡溝
１７  伸縮自在部
【図１】
0003661208.tif 000002
【図２】
0003661208.tif 000003
【図３】
0003661208.tif 000004
【図４】
0003661208.tif 000005
【図５】
0003661208.tif 000006
【図６】
0003661208.tif 000007
【図７】
0003661208.tif 000008
【図８】
0003661208.tif 000009
【図９】
0003661208.tif 000010
【図１０】
0003661208.tif 000011
【図１１】
0003661208.tif 000012
【図１２】
0003661208.tif 000013
【図１３】
0003661208.tif 000014
【図１４】
0003661208.tif 000015
【図１５】
0003661208.tif 000016
【図１６】
0003661208.tif 000017
【図１７】
0003661208.tif 000018